(57)【要約】【課題】使用者が足を使って移動させる手術室用椅子を得る。【解決手段】金属製の支柱２の上端に座部３が、下端に台座ベース４が設けられている。台座ベース４は前後左右方向に突部４ａ〜４ｄが形成され、台座ベース４の縁部の隣接する各突部４ａ〜４ｄの間は、滑らかに内側に凹む押圧部４ｅ〜４ｈとされている。前後方向の突部４ａ、４ｂの距離は長くされ、左右方向の突部４ｃ、４ｄの距離は短くされ、各突部４ａ〜４ｄの下面に、キャスタ６ａ〜６ｄが取り付けられている。  使用者は座部３に腰をかけ、両足を押圧部４ｅ、４ｆの近傍に位置させる。椅子１を移動するためには、片足を押圧部４ｅ、４ｆに当接して、足により移動すべき方向に押すと、キャスタ６ａ〜６ｄはその方向に回転するので、使用者は両手が塞がっていても、任意の方向に椅子１を移動させることができる。【選択図】図１
2017176805.tif 000002
【特許請求の範囲】
【請求項１】
支柱の上端に座部を設け、下端に平面状の台座ベースを設け、該台座ベースには前後左右の４方向に突部が形成され、これらの突部の先端下面にキャスタを取り付けた手術室用椅子であって、
左右方向を向く前記突部間の長さは、前後方向を向く前記突部間の長さよりも短くし、各突部間を繋ぐ前記台座ベースの縁部には、内側に凹む円弧状の押圧部が設けられていることを特徴とする手術室用椅子。
【請求項２】
前記左右方向を向く突部間の長さは、前記前後方向を向く突部間の長さの２／３〜１／２としたことを特徴とする請求項１に記載の手術室用椅子。
【請求項３】
前記台座ベースの前記支柱から前方向の突部までの長さは、前記支柱から後方向の突部までの長さよりも大きくされていることを特徴とする請求項１又は２に記載の手術室用椅子。
【請求項４】
．
前記押圧部は上下方向に幅広とされていることを特徴とする請求項１〜３の何れか１項に記載の手術室用椅子。
【請求項５】
前記キャスタは前記座部に荷重が掛かると車輪に制動が加えられ、前記車輪が回転不能となるようにされていることを特徴とする請求項１〜４の何れか１項に記載の手術室用椅子。
【発明の詳細な説明】
【技術分野】
【０００１】
本発明は、中腰で腰を掛け、長時間作業を続けることが可能な手術室用椅子に関するものである。
【背景技術】
【０００２】
医療手術現場における医師は、立ち続けた状態で、長時間に渡り医科手術を行うことが多い。このような立ち状態は、腰から足にかけて疲労が大きいため、中腰の姿勢で使用する腰掛け椅子が用いられる。
【０００３】
特許文献１には、手術に医師が使用可能なキャスタを取り付けた腰掛け椅子が開示されており、この腰掛け椅子を用いることで、長時間の医科手術による足腰に対する疲労が大幅に減少される。
【先行技術文献】
【特許文献】
【０００４】
【特許文献１】実開平３−７８５３４号公報
【発明の概要】
【発明が解決しようとする課題】
【０００５】
手術室において、医師は患者の手術部位に応じて、立ち位置を変更することがある。例えば、胸部を手術した後に、同じ患者の腹部の手術を連続して行うような場合には、座っている腰掛け椅子を縦方向、横方向へ数１０ｃｍ程度の範囲で移動させる必要がある。
【０００６】
しかし、医師は両手に血や体液が付着していることがあり、衛生面からサドル部等に手を触れて腰掛け椅子を移動させることはできない。特許文献１の腰かけ椅子は、移動に際して腰を軽く浮かせてストッパを外し、腰によりサドルを押して目的の位置まで移動する。
【０００７】
中腰状態で腰により腰かけ椅子を押すことは、ストッパの利き方が体重等により変化するために腰を浮かす加減が難しく、椅子が動かなかったり、或いはキャスタが大きく滑ったりして、事故につながる虞れがある。従って、この腰かけ椅子の使用に慣れていない医師にとっては、使用が困難であり危険を伴う。
【０００８】
また、特許文献１の腰掛け椅子を、立ち上がった状態で、足で十字状のキャスタ台座支軸を押して移動させようとすると、キャスタ台座支軸が回転したりして、思い通りの方向に移動させることができず、特に斜め方向に移動させることは困難である。場合によっては、腰掛け椅子を大きくずれた場所に移動させてしまったり、転倒させてしまうという危険性もある。
【０００９】
本発明の目的は、上述の課題を解消し、両手が使えない状態であっても、使用者が片足を使って、任意の方向に安定して移動し得る手術室用椅子を提供することにある。
【課題を解決するための手段】
【００１０】
上記目的を達成するための本発明に係る手術室用椅子は、支柱の上端に座部を設け、下端に平面状の台座ベースを設け、該台座ベースには前後左右の４方向に突部が形成され、これらの突部の先端下面にキャスタを取り付けた手術室用椅子であって、左右方向を向く前記突部間の長さは、前後方向を向く前記突部間の長さよりも短くし、各突部間を繋ぐ前記台座ベースの縁部には、内側に凹む円弧状の押圧部が設けられていることを特徴とする。
【発明の効果】
【００１１】
本発明に係る手術室用椅子によれば、狭い手術現場においても大きな邪魔とならず、長時間の手術を行う場合に軽く腰をかけながら使用でき、しかも足を使った移動が容易である。
【図面の簡単な説明】
【００１２】
【図１】手術室用椅子の斜視図である。
【図２】平面図である。
【図３】正面図である。
【図４】側面図である。
【図５】未荷重状態のキャスタの説明図である。
【図６】荷重状態のキャスタの説明図である。
【図７】手術室用椅子の変形例の斜視図である。
【発明を実施するための形態】
【００１３】
本発明を図示の実施例に基づいて詳細に説明する。
図１は実施例の手術室用椅子の斜視図、図２は平面図、図３は正面図、図４は側面図を示している。手術室用椅子１の金属製の支柱２の上端には座部３が設けられ、下端には厚さ６ｍｍ程度の平面状の金属板から成る台座ベース４が設けられている。重量を有する台座ベース４により、手術室用椅子１の重心は低くなり、従来の手術用の腰かけ椅子に比べて転倒し難い構造となっている。
【００１４】
支柱２の底部には、円盤状の取付部２ａが設けられており、この取付部２ａ及び台座ベース４に設けた４個の取付孔にボルト５を挿通させることで、支柱２が台座ベース４上に強固に固定されている。
【００１５】
台座ベース４は前後左右の各方向に４つの突部４ａ〜４ｄが形成され、各突部４ａ〜４ｄの間の台座ベース４の縁部は、滑らかに内側に凹む円弧状の押圧部４ｅ〜４ｈにより繋がれている。台座ベース４の各突部４ａ〜４ｄの先端下面に、それぞれ１個ずつのキャスタ６ａ〜６ｄの基部７ａが、図示を省略した下向きのボルト等により固定されている。
即ち、キャスタ６ａ、６ｂが前後方向の突部４ａ、４ｂにそれぞれ取り付けられ、残りの２個のキャスタ６ｃ、６ｄは左右方向を向く突部４ｃ、４ｄにそれぞれ取り付けられている。
【００１６】
台座ベース４の支柱２からの前後方向の突部４ａ、４ｂの距離は長くされ、左右方向の突部４ｃ、４ｄの支柱２からの距離は短くされている。なお、使用者は前方にかがみ込み重心が前方にあることが多いために、支柱２から前方向の突部４ａまでの長さは、支柱２から後方向の突部４ｂまでの長さよりも大きくすることが好ましい。
【００１７】
具体的な例示寸法としては、台座ベース４の支柱２の中心から、前方向の突部４ａの先端部までの長さは例えば３３ｃｍであり、後方向の突部４ｂの先端部までの長さは例えば２５ｃｍ、突部４ｃ、４ｄの先端部までの長さは例えば１８ｃｍである。突部４ｃ、４ｄ間の幅は例えば人の肩幅よりも狭く、突部４ｃ、４ｄ間の長さは、突部４ａ、４ｂ間の長さの２／３〜１／２程度とすることが好適である。
【００１８】
図５に示すように、キャスタ６ａ〜６ｄの基部７ａは、上下方向を向く軸を中心に、台座ベース４に対して任意の方向に回転可能とされ、基部７ａに設けられた水平方向の支持軸７ｂに、外周をゴムとした車輪８が回転自在に軸支されている。また、支持軸７ｂは基部７ａに対して僅かに上下動可能とされており、支持軸７ｂはばね７ｃにより、常時下方に付勢されている。
【００１９】
更に、基部７ａの一部には制動片７ｄが設けられており、キャスタ６ａ〜６ｄに上下方向に負荷が掛かり、床面からの反力で車輪８が上方に押されると、図６に示すように支持軸７ｂは上方に移動し、車輪８の外周に制動片７ｄが食い込み、車輪８の回転が規制されるようになっている。
【００２０】
また、支柱２は２本の管体が伸縮自在に中継ぎされており、座部３は支柱２に設けられた油圧機構により上方に付勢されてクッション性を有している。また、座部３の高さは操作レバー３ａを操作することにより任意の位置に調整可能とされている。なお、座部３は例えば自転車のサドルのような形状とされ、跨ることにより、軽く腰をかける程度の大きさとされている。また、座部３の後部に腰当部を設けることもできる。
【００２１】
座部３は支柱２に対して回転不能に固定してもよく、この場合は座部３の前後方向は突部４ａ、４ｂの前後方向と一致することになる。また、ロック可能な操作部を設け、任意の方向に座部３を固定するようにしてもよい。
【００２２】
使用に際して、手術室用椅子１の位置が定まり、台座ベース４の突部４ａ、４ｂを前後方向に向け、使用者が座部３に腰を掛けると、臀部は油圧機構のクッション性により弾発的に保持される。更に体重を掛けると、図６に示すように、キャスタ６ａ〜６ｄの支持軸７ｂが上昇し、車輪８の外周が基部７ａの制動片７ｄに接し、車輪８の回転が規制されるので、使用者は安定した位置で手術等を行うことができる。即ち、使用者が座部３に臀部を乗せると、ばね７ｃの付勢力に抗して支持軸７ｂが持ち上がり、キャスタ６ａ〜６ｄの車輪８に制動が掛かり、台座ベース４は移動不能となり、使用者の安全性が確保される。
【００２３】
このとき、使用者は両足を手術室用椅子１の押圧部４ｅ、４ｆの近傍に位置させる。左右方向へは突部４ｃ、４ｄが十分に張り出していないので、手術室用椅子１は前後方向に比べて左右方向へ倒れ易いが、使用者の両足により支えることによって、左右方向の不安定性を補うことができる。また、手術現場において手術室用椅子１に座る医者の真横に、助手が立っているような場合においても、横方向の突部４ｃ、４ｄが短いため、手術室用椅子１が邪魔になることはない。
【００２４】
例えば、手術室用椅子１を移動するために、使用者が座部３から腰を浮かすと、ばね７ｃの付勢力により車輪８は制動片７ｄから離れて制動が解除される。この状態で、台座ベース４を前方又は斜め前方に移動させるには、片足により押圧部４ｇ又は４ｈをその方向に押し、後方又は斜め後方又は横方向に移動させるには押圧部４ｅ又は４ｆをその方向に押せばよい。
【００２５】
このように、片足により台座ベース４の押圧部４ｅ〜４ｈを移動すべき方向に押すと、キャスタ６ａ〜６ｄの車輪８はその方向に回転するので、使用者は両手が塞がっていても、使用者は自分で手術室用椅子１を任意の方向に移動させることができる。
【００２６】
手術室用椅子１を右後方に移動させる場合には、移動させる方向の右足を軸足とし、左足の踵部又は底面部で押圧部４ｆ、４ｈの湾曲部近傍を水平方向に押圧する。金属板から成る台座ベース４は重量があるため、勢い良く滑ることはなく、手術室用椅子１は徐々に右後方へ移動する。
【００２７】
例えば、手術室用椅子１を右方向に２０ｃｍ移動させる場合には、左足の甲部で押圧部４ｆを押して右後方に約１５ｃｍ程度移動させた後に、次に押圧部４ｈを押して右前方に約１５ｃｍ程度移動することで、手術室用椅子１は右方向に２０ｃｍ分の移動ができる。
【００２８】
このように、手術室用椅子１は使用者の足による押圧部４ｅ〜４ｈに対する押圧によって、キャスタ６ａ〜６ｄをその方向に回転させて、前後方向、左右方向、斜め方向の任意の方向に移動可能となる。
【００２９】
図７は変形例の手術室用椅子１の斜視図を示し、台座ベース４の押圧部４ｅ〜４ｈの縁部は、下方に折り曲げられて幅広とされている。
【００３０】
これにより、手術室用椅子１を足を使って移動するに際し、足で押圧部４ｅ〜４ｈに痛みを伴うことなく押圧でき、手術室用椅子１が移動し易くなる。また、押圧部４ｅ〜４ｈの縁部をゴムなどで縁取りしても、足が滑ることなく押圧することができる。
【００３１】
また、この手術室用椅子１は使用しない場合には、部屋の隅に寄せておけば、場所も大きく取らずに済む。
【符号の説明】
【００３２】
１  手術室用椅子
２  支柱
３  座部
４  台座ベース
４ａ〜４ｄ  突部
４ｅ〜４ｈ  押圧部
６ａ〜６ｄ  キャスタ
８  車輪
【図１】
2017176805.tif 000003
【図２】
2017176805.tif 000004
【図３】
2017176805.tif 000005
【図４】
2017176805.tif 000006
【図５】
2017176805.tif 000007
【図６】
2017176805.tif 000008
【図７】
2017176805.tif 000009
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
支柱の上端に座部を設け、下端に平面状の台座ベースを設け、該台座ベースには前後左右の４方向に突部が形成され、これらの突部の先端下面にそれぞれキャスタを取り付けた手術室用椅子であって、
前記キャスタは前記座部に荷重が掛かると車輪に制動が加えられ、前記車輪が回転不能となるようにされ、
前記台座ベースの左右方向を向く前記突部間の長さは、前後方向を向く前記突部間の長さよりも短くし、前記各突部間を繋ぐ前記台座ベースの４つの縁部には、滑らかに内側に凹む円弧状の押圧部がそれぞれ設けられていることを特徴とする手術室用椅子。
【請求項２】
前記台座ベースの前記左右方向を向く前記突部間の長さは、前記前後方向を向く前記突部間の長さの２／３〜１／２としたことを特徴とする請求項１に記載の手術室用椅子。
【請求項３】
前記台座ベースの前記支柱から前方向の前記突部までの長さは、前記支柱から後方向の前記突部までの長さよりも大きくされていることを特徴とする請求項１又は２に記載の手術室用椅子。
【請求項４】
前記押圧部は上下方向に幅広とされていることを特徴とする請求項１〜３の何れか１項に記載の手術室用椅子。
【手続補正２】
【補正対象書類名】明細書
【補正対象項目名】００１０
【補正方法】変更
【補正の内容】
【００１０】
上記目的を達成するための本発明に係る手術室用椅子は、支柱の上端に座部を設け、下端に平面状の台座ベースを設け、該台座ベースには前後左右の４方向に突部が形成され、これらの突部の先端下面にそれぞれキャスタを取り付けた手術室用椅子であって、前記キャスタは前記座部に荷重が掛かると車輪に制動が加えられ、前記車輪が回転不能となるようにされ、前記台座ベースの左右方向を向く前記突部間の長さは、前後方向を向く前記突部間の長さよりも短くし、前記各突部間を繋ぐ前記台座ベースの４つの縁部には、滑らかに内側に凹む円弧状の押圧部がそれぞれ設けられていることを特徴とする。